(57)【要約】【課題】工事現場において容易に所望の防音性能を得ることができる防音装置を提供する。【解決手段】防音パネル１が重複可能となされることで、工事現場において状況に応じて防音パネル１を重複させて防音性能を高め、所望の防音性能を容易に得ることができるが、重複姿勢と展開姿勢とのいずれの場合においても隣接する防音ユニット１０同士が共通の連結手段４Ａにより連結可能となされていることで、重複姿勢及び展開姿勢のいずれにおいても別途連結手段を用意する必要がなく、工事現場における対応が容易なものとなり得る。【選択図】        図３
2008111294.tif 000002
【特許請求の範囲】
【請求項１】
防音パネルを騒音源の周囲に起立させて設けた防音装置であって、前記防音パネルは防音板の周囲に縦枠材及び横枠材が取り付けられて枠体が形成されたものであって、該縦枠材を用いて複数の防音パネルが回動手段により接続されて防音パネル同士が重複可能となされた防音ユニットが形成され、前記防音パネル同士が重複される重複姿勢と、防音パネル同士が重複されない展開姿勢とのいずれにおいても、隣接する防音ユニット同士が共通の連結手段により連結可能となされていることを特徴とする防音装置。
【請求項２】
前記防音ユニットは、前記重複姿勢において少なくとも枠体における厚みが全体で略同一となされていることを特徴とする請求項１に記載の防音装置。
【発明の詳細な説明】
【技術分野】
【０００１】
本発明は、工事現場などにおいて、建設機械等の騒音の発生源を囲って発生源からの騒音の伝播を防止する防音装置に関するものである。
【背景技術】
【０００２】
従来、工事現場等において、騒音の発生源を囲って設けられ、発生源からの騒音の伝播を防止するための防音装置としては、例えば床面上に敷設した基礎チャンネル材と、基礎チャンネル材の上に立てた支柱と、支柱間を結合した梁材と、ボックスの周囲および天井面を覆う分割構造の防音パネルとの組立体からなり、前記の基礎チャンネル材、支柱、梁材で構築した骨組みに対し、防音パネルを一枚ずつ差し込み式に組み込んで構成した組立式防音ボックスが開示されている（例えば特許文献１）。
【０００３】
一方、組立及び解体が容易に可能となされた防音装置としては、例えば紙質の表面及び裏面に吸音材を貼着してなる段ボールを数枚重ねて厚地になし、壁板、覆蓋並びに接合補強用アングル材の、これらの部材をねじ締結により一体として密閉状のルームに形成したことにより、組立解体自在となした防音ルームが開示されている（例えば特許文献２）。
【０００４】
【特許文献１】特開平４−１２５５９５号公報
【特許文献２】特開昭５８−２０４２５０号公報
【発明の開示】
【発明が解決しようとする課題】
【０００５】
しかしながら、発生する騒音のレベルや、必要とされる静粛性については工事現場によって様々であり、特許文献１及び２に示されているような従来の防音装置では、所望の防音性能を得ようとする場合、予め施工現場の状況を詳細に確認した上で、防音性能を高めるために防音パネルを重ねて固定したり、また防音パネルに用いる材料の材質や厚みを変更したりする等、工事現場においては容易に対応することができないものであった。
【０００６】
本発明は上記の如き課題に鑑みてなされたものであり、工事現場において容易に所望の防音性能を得ることができる防音装置を提供せんとするものである。
【課題を解決するための手段】
【０００７】
上記目的を達成するため、本発明は以下のような構成としている。すなわち、本発明に係わる防音装置は、防音パネルを騒音源の周囲に起立させて設けた防音装置であって、前記防音パネルは防音板の周囲に縦枠材及び横枠材が取り付けられて枠体が形成されたものであって、該縦枠材を用いて複数の防音パネルが回動手段により接続されて防音パネル同士が重複可能となされた防音ユニットが形成され、前記防音パネル同士が重複される重複姿勢と、防音パネル同士が重複されない展開姿勢とのいずれにおいても、隣接する防音ユニット同士が共通の連結手段により連結可能となされていることを特徴とするものである。
【０００８】
本発明に係わる防音装置によれば、防音パネルが重複可能となされることで、工事現場において状況に応じて防音パネルを重複させて防音性能を高め、所望の防音性能を容易に得ることができるが、重複姿勢と展開姿勢とのいずれの場合においても隣接する防音ユニット同士が共通の連結手段により連結可能となされていることで、重複姿勢及び展開姿勢のいずれにおいても別途連結手段を用意する必要がなく、工事現場における対応が容易なものとなり得る。
【０００９】
また前記防音ユニットは、前記重複姿勢において少なくとも枠体における厚みが全体で略同一となされていれば、防音パネルを重複させて設けた防音ユニットを連結した場合に表裏面を平坦とすることが可能となり、外観及び安全性に関して好ましいものとでき、また防音ユニットを段積みして輸送する際に荷崩れ等を起こりにくくすることができ好ましい。
【発明の効果】
【００１０】
本発明に係わる防音装置によれば、防音パネルが重複可能となされることで、工事現場において状況に応じて防音パネルを重複させて防音性能を高め、所望の防音性能を容易に得ることができるが、重複姿勢と展開姿勢とのいずれの場合においても隣接する防音ユニット同士が共通の連結手段により連結可能となされていることで、重複姿勢及び展開姿勢のいずれにおいても別途連結手段を用意する必要がなく、工事現場における対応が容易なものとなり得る。
【発明を実施するための最良の形態】
【００１１】
本発明に係わる最良の実施の形態について、図面に基づき以下に具体的に説明する。
【００１２】
図１は、本発明に係わる防音装置に用いる防音ユニットの、実施の一形態を示すもので、（ａ）は展開姿勢を示す正面図、（ｂ）は重複姿勢を示す正面図である。まず（ａ）において、ポリカーボネート樹脂からなる透光性の防音板１１の上下端縁にアルミニウム製の押出形材からなる横枠材１３が取り付けられ、更に防音板の左右端縁に同じくアルミニウム製の押出形材からなる縦枠材１２が取り付けられて、防音板１１の周囲に縦枠材１２及び横枠材１３が枠組みされた枠体Ｗが設けられることで防音パネル１が形成されている。かかる防音パネル１を複数用いて防音ユニット１０が形成されるが、防音ユニット１０は、同一形状の防音パネル１の縦枠材１２の側端縁に蝶番である回動手段２が上下方向に三体設けられており、縦枠材１２と回動手段２とによって複数の防音パネル１同士が互いに回動可能となされて重複可能に接続されている。また、隣接する防音パネル１同士の、上方及び下方の横枠材１３間には、展開姿勢を保持する直線状の中間材３が差し渡されて取り付けられている。
【００１３】
次に（ｂ）において、防音パネル１は同一形状となされ、且つ縦枠材１２の側端縁に回動手段２が取り付けられていることで、重複姿勢においては正面視で防音パネル１同士がほぼ完全に重複し、一体の防音パネル１のみが視認されるようになされている。
【００１４】
図２は、図１に示した防音ユニットの横断面図であり、（ａ）は展開姿勢における横断面図、（ｂ）は重複姿勢における横断面図である。まず（ａ）において、防音パネル１を形成する縦枠材１２は、左右両側が開口され、開口された一方は平行となされた二体の壁体により設けられたコ字状開口部１４であり、コ字状開口部１４の底部には仕切壁１４１が設けられることで防音板１１が差し込まれる防音板受け溝１４２が形成されている。開口された他方は、蟻溝状の袋溝開口部１５が設けられ、縦枠材１２の前後方向の中央付近に、縦枠材１２の厚みの略１／２程度で開口されるようになされている。袋溝開口部１５の開口縁１５１付近の内面には、それぞれ内側に向かって袋溝開口部１５の奥行の１／４程度の長さで突出壁１５２が突設されている。更に縦枠材１２の両側面がそれぞれ凹まされて凹溝１６が形成されており、コ字状開口部１４とボックス形状に近似する袋溝開口部１５とが一体となされることで縦枠材１２の機械的強度が高められるようになされている。この同一の断面形状である縦枠材１２を二体用い、コ字状開口部１４を相対向させて配置すると共に、それぞれの防音板受け溝１４２に防音板１１の端縁が挿入されている。防音板１１と防音板受け溝１４２との間には、適宜パッキン材（図示せず）等を設けて防音板１１のガタツキや音漏れを防止するようにしておくのが好ましい。かかる防音パネル１を二体隣接させると共に、隣接する防音パネル１の縦枠材１２の一方の側面にヒンジである回動手段２を、ビス止め、リベット止め、接着剤による接着等の適宜の方法にて取り付けて防音ユニット１０が形成されている。
【００１５】
次に（ｂ）において、重複姿勢となされた防音ユニット１０は、防音板１１が二重となされることで、防音板１１が一重である展開姿勢より高い遮音性能が得られる。ここで、防音ユニット１０は回動手段２に設けられたストッパー（図示せず）により過度な回動が抑制されて防音パネル１同士が略平行となされ、少なくとも縦枠材１２を含めた全体の枠体Ｗにおける厚みＨが略同一となるようになされている。防音パネル１間の、回動手段２が設けられた側と反対側には隙間が生じているが、ヒンジのストッパーによる保持のみとしてもよく、適宜スペーサー等を挟み込んでおいてもよい。
【００１６】
図３は、防音ユニット１０同士を連結手段により連結している一例を示す横断面図であり、（ａ）は展開姿勢における横断面図、（ｂ）は重複姿勢における横断面図である。連結手段４Ａは同一断面が連続して形成されたアルミニウム製の押出形材であり、まず（ａ）に示す如く、隣接する防音ユニット１０Ａ及び１０Ｂ間の、防音パネル１Ａ及び１Ｂの縦枠材１２Ａ及び１２Ｂの袋溝開口部１５内に、縦枠材１２の上端又は下端から摺動されて挿入されることで取り付けられる。連結手段４Ａはコ字状の先端がそれぞれ内側に折り曲げられて開口部分が狭められた断面形状となされ、基底部４Ａ１から側壁部４Ｂ２が前方に向かって張り出され、側壁部４Ｂ２の先端が内側に折れ曲がって先端部４Ｂ３が形成されているものである。隣接する防音ユニット１０同士の、縦枠材１２に設けられた袋溝開口部１５同士が突き合わされた状態で袋溝開口部１５に連結手段４Ａが挿入されると、連結手段４の基底部４Ａ１が縦枠材１２Ａ及び１２Ｂの袋溝開口部１５間に差し渡されると共にその背面側が袋溝開口部１５の開口縁１５１に当接され、側壁部４Ｂ２が袋溝開口部１５の底面１５３に当接され、更に先端部４Ｂ３が袋溝開口部１５の内側面１５４及び開口縁側内面１５５に当接されていることで、連結手段４Ａが袋溝開口部１５内にがたつくことなく挿入されて防音ユニット１０Ａ及び１０Ｂが連結されている。
【００１７】
また防音ユニット１０Ａ及び１０Ｂが重複姿勢である場合には、（ｂ）に示す如く防音ユニット１０Ａを形成する防音パネル１Ａ及び１Ｂに設けられた縦枠材１２Ａ及び１２Ｂの袋溝開口部１５と、防音ユニット１０Ｃを形成する防音パネル１Ｃ及び１Ｄに設けられた縦枠材１２Ｃ及び１２Ｄの袋溝開口部１５とが突き合わされ、それぞれの袋溝開口部１５に（ａ）に示した展開姿勢における連結手段と共通の、アルミニウム製の押出形材である連結手段４Ａが挿入されて防音ユニット１０Ａ及び１０Ｃが連結されている。連結手段４Ａは、重複された防音パネル１Ａ及び１Ｃ間、並びに防音パネル１Ｂ及び１Ｄ間にそれぞれ設けてもよく、いずれか一方のみに設けるようにしてもよい。防音ユニット１０は、重複姿勢における厚みが枠体において略同一となされていることで、重複姿勢においてかかる連結手段４を用いた場合の連結が更に容易なものとなされている。
【００１８】
更にまた、防音パネル１Ｃ及び１Ｄ間に隙間が明けられていることで、隣接する防音ユニット１０Ａの回動手段２がその隙間に嵌り込み、防音ユニット１０同士を連結した際に、防音ユニット１０Ａ及び１０Ｂが面一となって外観上及び安全性について好ましいものとなされている。また隣接する防音パネル１Ａと１Ｃを形成する縦枠材１２同士が当接されており、且つ防音パネル１Ｂと１Ｄを形成する縦枠材１２同士が当接されていることで、防音ユニット１０Ａ及び１０Ｂ間の隙間が生じるのを音漏れの防止を図ることができると共に、連結状態で隣接された防音パネル１同士の隙間も無くされることで防音ユニット１０を重複姿勢として防音パネル１を二重に配置したことによる防音効果を十分に発揮できるようになされている。
【００１９】
図４は、防音ユニット１０同士を連結手段の、他の例を示す横断面図であり、（ａ）は連結手段を示す斜視図、（ｂ）は展開姿勢における連結状態を示す横断面図、（ｃ）は重複姿勢における連結状態を示す横断面図である。まず（ａ）において、連結手段４Ｂは下方が開口された断面矩形の箱状体であり、相対向する側壁の中央に、それぞれ両側に嵌挿壁部４Ｂ１を残して上面部４Ｂ４まで至る切り込み部４Ｂ２が設けられ、嵌挿壁部４Ｂ１と切り込み部４Ｂ２が設けられていない側壁部４Ｂ３とが断面Ｌ字状をなしているものである。
【００２０】
次に（ｂ）において、隣接された防音ユニット１０Ａ及び１０Ｂの、防音パネル１Ａ及び１Ｂに設けられた縦枠材１２Ａ及び１２Ｂの袋溝開口部１５同士が突き合わされると共に、縦枠材１２Ａ及び１２Ｂを用いて防音ユニット１０Ａ及び１０Ｂが連結されている。具体的には、連結手段４Ｂにおける側壁部４Ｂ３の幅が、袋溝開口部１５同士が突き合わされた状態で同じ側に設けられた凹溝１６間の間隔と略同一となされて、嵌挿壁部４Ｂ１が縦枠材１２Ａ及び１２Ｂ間に跨る状態で凹溝１６に嵌着される。また反対側に設けられた凹溝１６間にも嵌挿壁部４Ｂ１が跨る状態で凹溝１６に嵌着されており、嵌挿壁部４Ｂ１間の側壁部４Ｂ３により隣接された防音ユニット１０Ａ及び１０Ｂの袋溝開口部１５同士が突き合わされた状態が保持される。また縦枠材１２Ａ及び１２Ｂの凹溝１６が設けられた部位が切り込み部４Ｂ２に嵌着され、嵌挿壁部４Ｂ１及び側壁部４Ｂ３が上面部４Ｂ４により一体となされていることで、防音ユニット１０Ａ及び１０Ｂは互いに前後左右方向への移動が抑止されて連結された状態となされる。
【００２１】
連結手段４Ｂの、防音ユニット１０Ａ及び１０Ｂへの取り付けは、縦枠材１２Ａ及び１２Ｂの上端又は下端に、連結手段４Ｂを下端から摺動させて取り付ける。また防音パネル１Ａ及び１Ｂが、横枠材１３に縦枠材１２を突き合わせて枠体を形成している場合には、横枠材１３の凹溝１６に対応する部分に切欠きを設けて嵌挿壁部４Ｂ１を挿通させるようにするのが好適である。
【００２２】
更に（ｃ）において、重複姿勢となされた防音ユニット１０Ａ及び１０Ｃが隣接して配置され、防音ユニット１０Ａを形成する防音パネル１Ａ及び１Ｂの縦枠材１２Ａ及び１２Ｂに設けられた袋溝開口部１５と、防音ユニット１０Ｃを形成する防音パネル１Ｃ及び１Ｄの縦枠材１２Ｃ及び１２Ｄに設けられた袋溝開口部１５とが突き合わされ、縦枠材１２Ａ及び１２Ｃ間、並びに縦枠材１２Ｂ及び１２Ｄ間に、（ｂ）に示した展開姿勢と共通する連結手段４Ｂの嵌挿壁部４Ｂ１がそれぞれに設けられた凹溝１６に嵌着されることで、防音ユニット１Ａ及び１Ｃが連結されている。防音パネル１Ａ及び１Ｂ間、並びに防音パネル１Ｃ及び１Ｄ間に間隔が設けられていることで、その間隔に連結手段４Ｂの側壁部４Ｂ３が挿入可能となり、連結手段４Ｂの嵌着は容易なものとなり得る。また連結手段４Ｂの嵌挿壁部４Ｂ１及び側壁部４Ｂ３の上下方向の長さを、防音ユニット１０の上端又は下端から回動手段２までの距離より小さくしておくことで、設けられた回動手段２が邪魔になることなく連結手段４Ｂを取り付けることができる。
【００２３】
尚、上述の図４に示した実施形態において、袋溝開口部１５は蟻溝状に開口されているものに限定されず、用いる連結手段や防音パネルの形状等に応じて適宜の形状としてよく、また開口を設けずに単なるボックス枠体としておいてもよい。
【００２４】
図５は、防音ユニット１０を展開姿勢に保持する中間材の一例を示すもので、（ａ）は中間材が設けられた上方の横枠材付近の縦断面図、（ｂ）は中間材を用いた防音ユニットを示す正面図である。まず（ａ）において、枠体Ｗを形成する横枠体１３は、上述の実施形態における縦枠材１２と同一の断面のものが用いられて部材の共通化が図られている。横枠材１３においても、開口された一方の、コ字状開口部１４の底部に仕切壁１４１が設けられて形成された防音板受け溝１４２に防音板１１の端縁が差し込まれ、開口された他方は、蟻溝状の袋溝開口部１５が設けられ、更に横枠材１３の両側面が凹まされて凹溝１６が設けられている。中間材３は、板状部３１の両側端に、板状部３１とＬ字状をなすように縦板部３２がそれぞれ設けられて断面コ字状となされ、縦板部３２の先端がそれぞれ内側に折れ曲がって摺動部３３が設けられている。この摺動部３３が横枠材１３のいずれかの端部から凹溝１６内に摺動されることで挿入され、袋溝開口部１５が設けられたボックス形状の部位を抱え込むようになされることで横枠材１３から抜けないように取り付けられる。
【００２５】
次に（ｂ）において、防音ユニット１０は、二体の防音パネル１Ａ及び１Ｂが回動手段２により回動可能に取り付けられて形成されており、各々の防音パネル１Ａ及び１Ｂに設けられた横枠材１３Ａ及び１３Ｂに形成された凹溝１６に嵌着された中間材３は横枠材１３上を左右方向に自在に摺動して移動可能となされている。中間材３が横枠材１３Ａ及び１３Ｂに跨って位置されている場合には展開姿勢が保持され、跨ることなく位置されるか又は取り外されている場合には回動手段２により各々の防音パネル１Ａ及び１Ｂが回動自在となされる。尚、展開姿勢を保持する場合には、ストッパーや粘接着手段等を用いて中間材３が移動しないようにしておくのが好ましい。
【００２６】
図６は、防音ユニットを用いて形成した本発明に係わる防音装置の例を示す斜視図である。まず（ａ）に示す防音装置１００は工事現場全体を防音ユニット１０にて覆った防音ボックス状のものであり、比較的工事現場自体が狭い場合に好適に用いられる。工事現場を囲むようにして上述の実施形態に示した防音ユニット１０を四囲に立設すると共に、屋根部分も防音ユニット１０ａを用いて形成している。屋根部分については上述の実施形態に示した防音ユニット１０ａに限定されるものではなく、単板状のもの等適宜のものを用いてもよく、更にまた側壁部分についても一部は防音ユニット１０以外の壁体を用いるようにしてもよい。防音装置１００は、防音ボックス状に設けられていることでそれ自体にて防音ユニット１０が立設された状態を保持できるが、適宜起立手段を併用して風圧等による転倒を防ぐようにしてもよい。
【００２７】
（ｂ）に示す防音装置１００は、防音ユニット１０を衝立状に巡らせたものであり、比較的工事現場自体が広い場合に好適に用いられる。防音ユニット１０の側面下方に、直角三角形状の支持部材１０１が起立手段として防音ユニット１０（又は防音パネル１）の境界毎に設けられ、防音ユニット１０が転倒しないよう立設状態を保持するようにしている。
【００２８】
図７は、かかる起立手段の一例を示すもので、（ａ）は防音ユニットを含めた側面図、（ｂ）は支持部材が設けられた部位の横断面図である。まず（ａ）において、防音ユニット１０は支持部材１０１と支持柱１０２とからなる起立手段により立設状態が保持されているものであり、支持柱１０２に防音ユニット１０が保持されて立設状態となされ、支持柱１０２下端の表裏面を挟み込むように直角三角形状の支持部材１０１が取り付けられて支持柱１０２が立設状態に保持されている。
【００２９】
次に（ｂ）において、支持柱１０２は矩形の断面となされると共に、断面を形成する四面の内、相反して開口された二面に防音ユニット１０の端縁を挿入する蟻溝状のパネル支持溝１０３が、パネル支持溝１０３が設けられている以外の、相反して開口された二面に同じく蟻溝状のボルト挿入溝１０４が設けられている。この支持柱１０２のパネル挿入溝１０３に防音ユニット１０の側端縁を構成する縦枠材１２が挿入されて防音ユニット１０が立設状態に保持される。またボルト挿入溝１０４には、相反して開口されたボルト挿入溝１０４にそれぞれボルトＢの頭部が挿入され、ボルト挿入溝１０４から外部に突出された螺子部分が支持部材１０１に挿通された状態で螺子部分にナットＮが螺着されて支持柱１０２に支持部材１０１が固定されて支持柱１０２の立設状態が保持されるようになされている。
【図面の簡単な説明】
【００３０】
【図１】本発明に係わる防音装置を形成する防音ユニットの、実施の一形態を示す正面図である。
【図２】本発明に係わる防音装置を形成する防音ユニットの、実施の一形態を示す横断面図である。
【図３】防音ユニットが連結された状態の一例を示す横断面図である。
【図４】防音ユニットが連結された状態の、他の例を示す横断面図である。
【図５】防音ユニットの展開姿勢を保持する中間材を説明する説明図である。
【図６】本発明に係わる防音装置の実施形態を示す斜視図である。
【図７】防音ユニットを立設状態に保持する起立手段の一例を示す説明図である。
【符号の説明】
【００３１】
１    防音パネル
１１  防音板
１２  縦枠材
１３  横枠材
２    回動手段
３    中間材
４Ａ、４Ｂ  連結手段
１０  防音ユニット
１００  防音装置
Ｈ    （重複姿勢における防音ユニットの）厚み
【図１】
2008111294.tif 000003
【図２】
2008111294.tif 000004
【図３】
2008111294.tif 000005
【図４】
2008111294.tif 000006
【図５】
2008111294.tif 000007
【図６】
2008111294.tif 000008
【図７】
2008111294.tif 000009